【手続補正書】
【提出日】平成17年3月28日(2005.3.28)
【手続補正１】
【補正対象書類名】明細書
【補正対象項目名】全文
【補正方法】変更
【補正の内容】
【書類名】      明細書
【発明の名称】  エレベーターの乗場装置
【特許請求の範囲】
【請求項１】  昇降路に開口した乗場の縁部を形成する三方枠と、この三方枠の上記昇降路側に設けられて上記乗場を開閉する引き戸と、上記三方枠の上縁部に設けられて回転軸線が水平に配置された巻き取り機構と、火災災害拡大防止性能を有する可撓性板状材からなり常時は上記巻き取り機構に巻き取られて上昇位置に配置され、要時に上記三方枠と引き戸の間に下降して上記乗場の開口部を閉塞する閉塞体と、この閉塞体の乗場出入口間口方向の両縁部にそれぞれ配置され、上記閉塞体が上記乗場出入口を閉塞した状態で上記三方枠と引き戸の間に形成された空隙を塞ぐ位置に配置される構造体とを備えたエレベーターの乗場装置。
【請求項２】  閉塞体を、遮炎性能を有する可撓性板状材からなるものとしたことを特徴とする請求項１記載のエレベーターの乗場装置。
【請求項３】  閉塞体を、遮煙性能を有する可撓性板状材からなるものとしたことを特徴とする請求項１記載のエレベーターの乗場装置。
【請求項４】  閉塞体を、遮炎性能及び遮煙性能を有する可撓性板状材からなるものとしたことを特徴とする請求項１記載のエレベーターの乗場装置。
【請求項５】  三方枠の両側の縦枠にそれぞれ設けられて昇降路側に配置され上下方向に沿い上記縦枠に密着して装着されて、乗場の出入方向に沿う面に閉塞体の乗場出入口間口方向の縁部が嵌合された案内溝を装備した案内レールを備えたことを特徴とする請求項１〜請求項４のいずれか一つに記載のエレベーターの乗場装置。
【請求項６】  構造体は、閉塞体の乗場出入口間口方向の両縁部にそれぞれ装備され水平横断面においてＴ字型をなし、上記閉塞体が上記乗場出入口を閉塞した状態でＴ字の横画が水平横断面において三方枠と引き戸の間に形成された空隙を塞ぐ位置に配置されるＴ字型構造体であることを特徴とする請求項１〜請求項４のいずれか一つに記載のエレベーターの乗場装置。
【請求項７】  構造体は、引き戸に設けられ水平横断面において一側が上記引き戸の戸袋側の端面に重合されて装着され、他側は上記引き戸の全閉時に三方枠の反乗場出入口側の側面に重合され、乗場の出入方向に沿う面に閉塞体の乗場出入口間口方向の縁部が嵌合された案内溝を装備した閉塞板型構造体であることを特徴とする請求項１〜請求項４のいずれか一つに記載のエレベーターの乗場装置。
【発明の詳細な説明】
【０００１】
【発明の属する技術分野】
この発明は、建物の火災時に昇降路を経由した火炎、煙等の火災災害拡大防止機構が装備されたエレベーターの乗場装置に関する。
【０００２】
【従来の技術】
図６〜図１０は、従来のエレベーターの乗場装置を示す図で、図６はエレベーター昇降路の要部横断平面図、図７は図６の正面図、図８は図７の縦断側面図、図９は例えば実開平２−６５９４７号公報に示された出入口の防火区画形成装置の通常時を示す斜視図、図１０は図９の防火区画形成装置における火災時の状況を示す図である。
【０００３】
図において、１はエレベーターの昇降路、２は昇降路１に開口した乗場、３は乗場２出入口の縁部を形成する三方枠、４は三方枠３の昇降路１側に設けられて乗場２出入口を開閉する引き戸、５は乗場２出入口縁部の昇降路１壁に設けられた乗場釦付乗場位置表示器、６は乗場２出入口の開口部の床面に対応して設けられて引き戸４の下縁部を案内する敷居である。
【０００４】
また図９及び図１０において、７は出入口開口部、８は戸袋で、出入口開口部７の両側にそれぞれ引退して設けられた凹所によって形成されている。９は折り畳み式の防火扉で、二枚が重合されて戸袋８に収納されて戸袋８の奥側の一枚は一側が出入口開口部７側の縁部において戸袋８に枢着され、また戸袋８の前側の一枚は反出入口開口部７側の縁部が奥側の一枚の他側に枢着されている。
【０００５】
従来のエレベーターの乗場装置は上記のように構成され、乗場２の出入口縁部に三方枠３が設けられ、また乗場２の出入口が引き戸４によって開閉される。そして、防火扉９は常時において図９に示すように二枚が重合されて戸袋８に収納される。また、火災時には防火扉９が駆動機構（図示しない）の作動によって駆動される。この駆動によって回動変位して戸袋８から突出して水平投影面においてＬ字状に展開し、出入口開口部７の両側にそれぞれ設けられた防火扉９によって、図１０に示すように出入口開口部７を囲んで閉塞する。
【０００６】
【発明が解決しようとする課題】
上記のような従来のエレベーターの乗場装置では、乗場２における出入口の両側にそれぞれ防火扉９が設けられるため、乗場２に防火扉９の設置スペース及び展開動作のためのスペースが必要となる。このため、エレベーターが設けられる建物により、また乗場２の広さによって防火扉９の設置が制約されるという問題点があった。また、乗場２に防火扉９が通常時においても露出状態に設けられるので美観が損なわれることなる。
【０００７】
この発明は、かかる問題点を解消するためになされたものであり、火炎、煙等の火災災害の拡大防止機構が設けられた乗場装置であって少ないスペースに容易に設置できるエレベーターの乗場装置を得ることを目的とする。
【０００８】
【課題を解決するための手段】
この発明に係るエレベーターの乗場装置においては、昇降路に開口した乗場の縁部を形成する三方枠と、この三方枠の昇降路側に設けられて乗場を開閉する引き戸と、三方枠の上縁部に設けられて回転軸線が水平に配置された巻き取り機構と、火災災害拡大防止性能を有する可撓性板状材からなり常時は巻き取り機構に巻き取られて上昇位置に配置され、要時に三方枠と引き戸の間に下降して乗場の開口部を閉塞する閉塞体と、この閉塞体の乗場出入口間口方向の両縁部にそれぞれ配置され、上記閉塞体が上記乗場出入口を閉塞した状態で上記三方枠と引き戸の間に形成された空隙を塞ぐ位置に配置される構造体とが設けられる。
【０００９】
また、この発明に係るエレベーターの乗場装置においては、遮炎性能を有する可撓性板状材からなる閉塞体が設けられる。
【００１０】
また、この発明に係るエレベーターの乗場装置においては、遮煙性能を有する可撓性板状材からなる閉塞体が設けられる。
【００１１】
また、この発明に係るエレベーターの乗場装置においては、遮炎性能及び遮煙性能を有する可撓性板状材からなる閉塞体が設けられる。
【００１２】
また、この発明に係るエレベーターの乗場装置においては、三方枠の両側の縦枠にそれぞれ設けられて昇降路側に配置され上下方向に沿い三方枠の縦枠に密着して装着されて、乗場の出入方向に沿う面に閉塞体の乗場出入口間口方向の縁部が嵌合された案内溝を装備した案内レールが設けられる。
【００１３】
また、この発明に係るエレベーターの乗場装置においては、構造体は、閉塞体の乗場出入口間口方向の両縁部にそれぞれ装備され水平横断面においてＴ字型をなし、閉塞体が乗場出入口を閉塞した状態でＴ字の横画が水平横断面において三方枠と引き戸の間に形成された空隙を塞ぐ位置に配置されるＴ字型構造体である。
【００１４】
また、この発明に係るエレベーターの乗場装置においては、構造体は、引き戸に設けられ水平横断面において一側が引き戸の戸袋側の端面に重合されて装着され、他側は引き戸の全閉時に三方枠の反乗場出入口側の側面に重合され、乗場の出入方向に沿う面に閉塞体の乗場出入口間口方向の縁部が嵌合された案内溝を装備した閉塞板型構造体である。
【００１５】
【発明の実施の形態】
実施の形態１．
図１〜図３は、この発明の実施の形態の一例を示す図で、図１はエレベーター昇降路の要部横断平面図、図２は図１の正面図、図３は図２の縦断側面図である。図において、１はエレベーターの昇降路、２は昇降路１に開口した乗場、３は乗場２の縁部を形成して乗場出入口を構成した三方枠、４は三方枠３の昇降路１側に設けられて乗場２出入口を開閉する引き戸、６は乗場２の出入口開口部の床面に対応して設けられて引き戸４の下縁部を案内する敷居である。
【００１６】
１０は案内レールで、三方枠３の縦枠の昇降路１側に上下方向に沿って設けられて、三方枠３の縦枠に密着して配置され乗場２の出入方向に沿う面に案内溝が設けられている。１１は巻き取り機構で、三方枠３の上縁部に設けられて回転軸線が水平に配置されている。１２は閉塞体で、シート状材料、シャッター等であって火災災害拡大防止性能、すなわち遮炎性能及び遮煙性能の少なくとも一方を有する可撓性板状材によって製作されている。
【００１７】
また、閉塞体１２は乗場出入口間口方向の両縁部がそれぞれ対応した案内レール１０の案内溝に隙間を形成して嵌合され、乗場出入口間口を覆う幅に製作されて下端に錘１３が装着されて、常時は巻き取り機構１１に巻き取られて上昇位置に配置されている。１４は昇降路１を昇降するかごで、乗場２に対向したときに乗場出入口に連通する出入口１５が設けられている。
【００１８】
上記のように構成されたエレベーターの乗場装置において、乗場２の出入口縁部に三方枠３が設けられ、また乗場２の出入口が引き戸４によって開閉される。そして、閉塞体１２は常時において図２に示すように巻き取り機構１１に巻き取られて上昇位置に配置され乗場２の出入口から撤収される。そして、乗場２が設けられた建物の階床に火災が発生すると、図示が省略してあるが煙感知器が動作することによって巻き取り機構１１の制動が解除される。
【００１９】
これによって、閉塞体１２が自重及び錘１３の質量によって案内レール１０に案内されて下降して図３に示すように乗場２の出入口を閉塞する。そして、閉塞体１２による防災区画が乗場２の引き戸４の前に形成されて、閉塞体１２の火災災害拡大防止性能、すなわち遮炎性能、遮煙性能により昇降路１への火炎、煙の侵入を防ぐことができる。
【００２０】
また、案内レール１０の案内溝に閉塞体１２の幅方向の縁部が嵌合されるので、乗場２から昇降路１側への空気の流路が狭くなり乗場２出入口の閉塞性を向上することができる。なお、閉塞体１２を遮炎性能を有するものとして火災時に昇降路１への火炎の侵入を防ぎ、また閉塞体１２を遮煙性能を有するものとして火災時に昇降路１への煙の侵入を防ぐ作用を得ることができる。
【００２１】
このような構成によって、火炎、煙等の火災災害拡大防止機能を有するエレベーターの乗場装置を少ないスペースに容易に設置でき、エレベーターが設置された建物の火災時に昇降路１を経由した火炎、煙等による火災災害の拡大を防止することができる。したがって、乗場２のスペースの制約を受けることなく火災災害拡大防止作用を得ることができ、また通常時において乗場２に閉塞体１２が露出することがなく美観が損なわれる不具合を解消することができる。
【００２２】
実施の形態２．
図４は、この発明の他の実施の形態の一例を示す図で、前述の図１相当図である。なお、図４の他は前述の図１〜図３と同様にエレベーターの乗場装置が構成されている。図において、図１〜図３と同符号は相当部分を示し、１６はＴ字型構造体で、閉塞体１２の乗場出入口間口方向の両縁部にそれぞれ装備され水平横断面においてＴ字型をなし、閉塞体１２が乗場出入口を閉塞した状態でＴ字の横画が図４に示すように三方枠３と引き戸４の間に形成された空隙を塞ぐ位置に配置される。
【００２３】
上記のように構成されたエレベーターの乗場装置においても、乗場２に三方枠３が設けられ、乗場２の出入口が引き戸４によって開閉される。そして、閉塞体１２は常時において上昇位置に配置され、建物に火災が発生すると煙感知器を介して閉塞体１２がＴ字型構造体１６に案内されて下降する。
【００２４】
これにより、図４に示すように閉塞体１２によって乗場２の出入口を閉塞し、また三方枠３と引き戸４の空隙がＴ字型構造体１６によって塞がれる。そして、閉塞体１２による防災区画が乗場２の引き戸４の前に形成される。したがって、詳細な説明を省略するが図４の実施の形態においても図１〜図３の実施の形態と同様な作用が得られる。
【００２５】
実施の形態３．
図５も、この発明の他の実施の形態の一例を示す図で、前述の図１相当図である。なお、図５の他は前述の図１〜図３と同様にエレベーターの乗場装置が構成されている。図において、図１〜図３と同符号は相当部分を示し、１７は閉塞板型構造体で、両方の引き戸４にそれぞれ設けられ水平横断面において一側が引き戸４の戸袋側の端面に重合されて装着され、他側は引き戸４の全閉時に三方枠３の縦枠における反乗場出入口側の側面に重合される。
【００２６】
また、閉塞板型構造体１７には、水平横断面において引き戸４と三方枠３の間に対応して形成されて、乗場２の出入口幅の外側方向に突出した案内溝１８が設けられている。そして、閉塞板型構造体１７の案内溝１８に閉塞体１２の乗場出入口間口方向の両縁部が案内溝１８に隙間を形成して嵌合される。
【００２７】
上記のように構成されたエレベーターの乗場装置においても、乗場２に三方枠３が設けられ、乗場２の出入口が引き戸４によって開閉される。そして、閉塞体１２は常時において上昇位置に配置され、建物に火災が発生すると煙感知器を介して閉塞体１２が閉塞板型構造体１７の案内溝１８に案内されて下降する。
【００２８】
これにより、図５に示すように閉塞体１２によって乗場２の出入口を閉塞し、また三方枠３と引き戸４の空隙が閉塞板型構造体１７によって塞がれる。そして、閉塞体１２による防災区画が乗場２の引き戸４の前に形成される。したがって、詳細な説明を省略するが図５の実施の形態においても図１〜図３の実施の形態と同様な作用が得られる。
【００２９】
【発明の効果】
この発明は以上説明したように、昇降路に開口した乗場の縁部を形成する三方枠と、この三方枠の昇降路側に設けられて乗場を開閉する引き戸と、三方枠の上縁部に設けられて回転軸線が水平に配置された巻き取り機構と、火災災害拡大防止性能を有する可撓性板状材からなり常時は巻き取り機構に巻き取られて上昇位置に配置され、要時に三方枠と引き戸の間に下降して乗場の開口部を閉塞する閉塞体と、この閉塞体の乗場出入口間口方向の両縁部にそれぞれ配置され、上記閉塞体が上記乗場出入口を閉塞した状態で上記三方枠と引き戸の間に形成された空隙を塞ぐ位置に配置される構造体とを設けたものである。
【００３０】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が三方枠と引き戸の間を下降して構造体により三方枠と引き戸の間の空隙を塞ぎ乗場の出入口を閉塞する。これにより、閉塞体と構造体による閉塞性の高い防災区画が乗場の引き戸の前に形成されて、閉塞体と構造体の火災災害拡大防止性能により昇降路への火炎、煙の侵入を防ぐ。したがって、火炎、煙等の火災災害拡大防止機能を有するエレベーターの乗場装置を少ないスペースに容易に設置でき、エレベーターが設置された建物の火災時に昇降路を経由した火炎、煙等による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００３１】
また、この発明は以上説明したように、遮炎性能を有する可撓性板状材からなる閉塞体を設けたものである。
【００３２】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が三方枠と引き戸の間を下降して乗場の出入口を閉塞する。これにより、閉塞体による防災区画が乗場の引き戸の前に形成されて、閉塞体の遮炎性能により昇降路への火炎の侵入を防ぐ。したがって、火炎による火災災害拡大防止機能を有するエレベーターの乗場装置を少ないスペースに容易に設置でき、エレベーターが設置された建物の火災時に昇降路を経由した火炎による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００３３】
また、この発明は以上説明したように、遮煙性能を有する可撓性板状材からなる閉塞体を設けたものである。
【００３４】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が三方枠と引き戸の間を下降して乗場の出入口を閉塞する。これにより、閉塞体による防災区画が乗場の引き戸の前に形成されて、閉塞体の遮煙性能により昇降路への煙の侵入を防ぐ。したがって、煙による火災災害拡大防止機能を有するエレベーターの乗場装置を少ないスペースに容易に設置でき、エレベーターが設置された建物の火災時に昇降路を経由した煙による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００３５】
また、この発明は以上説明したように、遮炎性能及び遮煙性能を有する可撓性板状材からなる閉塞体を設けたものである。
【００３６】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が三方枠と引き戸の間を下降して乗場の出入口を閉塞する。これにより、閉塞体による防災区画が乗場の引き戸の前に形成されて、閉塞体の火災災害拡大防止性能により昇降路への火炎及び煙の侵入を防ぐ。したがって、火炎及び煙の火災災害拡大防止機能を有するエレベーターの乗場装置を少ないスペースに容易に設置でき、エレベーターが設置された建物の火災時に昇降路を経由した火炎及び煙による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００３７】
また、この発明は以上説明したように、三方枠の両側の縦枠にそれぞれ設けられて昇降路側に配置され上下方向に沿い縦枠に密着して装着されて、乗場の出入方向に沿う面に閉塞体の乗場出入口間口方向の縁部が嵌合された案内溝を装備した案内レールを設けたものである。
【００３８】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が案内レールに案内されて三方枠と引き戸の間を下降して乗場の出入口を閉塞する。これにより、幅方向縁部が案内レールの案内溝に嵌合した閉塞体による閉塞性の高い防災区画が乗場の引き戸の前に形成されて、閉塞体の火災災害拡大防止性能により昇降路への火炎、煙の侵入を防ぐ。したがって、火炎、煙等の火災災害拡大防止機能を有するエレベーターの乗場装置を少ないスペースに容易に設置でき、エレベーターが設置された建物の火災時に昇降路を経由した火炎、煙等による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００３９】
また、この発明は以上説明したように、閉塞体の乗場出入口間口方向の両縁部にそれぞれ装備され水平横断面においてＴ字型をなし、閉塞体が乗場出入口を閉塞した状態でＴ字の横画が水平横断面において三方枠と引き戸の間に形成された空隙を塞ぐ位置に配置されるＴ字型構造体を設けたものである。
【００４０】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が三方枠と引き戸の間を下降してＴ字型構造体により三方枠と引き戸の間の空隙を塞ぎ乗場の出入口を閉塞する。これにより、Ｔ字型構造体を有する閉塞体による閉塞性の高い防災区画が乗場の引き戸の前に形成されて、閉塞体の火災災害拡大防止性能により昇降路への火炎、煙の侵入を防ぐ。したがって、火炎、煙等の火災災害拡大防止機能を有するエレベーターの乗場装置を少ないスペースに容易に設置でき、エレベーターが設置された建物の火災時に昇降路を経由した火炎、煙等による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【００４１】
また、この発明は以上説明したように、引き戸に設けられ水平横断面において一側が引き戸の戸袋側の端面に重合されて装着され、他側は引き戸の全閉時に三方枠の反乗場出入口側の側面に重合され、乗場の出入方向に沿う面に閉塞体の乗場出入口間口方向の縁部が嵌合された案内溝を装備した閉塞板型構造体を設けたものである。
【００４２】
これによって、三方枠の上縁部に閉塞体が設けられて常時において巻き取り機構に巻き取られて上昇位置に配置されて乗場の出入口から撤収され、乗場が設けられた建物の階床に火災が発生すると、巻き取り機構の制動が解除される。そして、閉塞体が閉塞板型構造体の案内溝に案内されて下降して閉塞板型構造体による閉塞作用とも相俟って、閉塞体が三方枠と引き戸の間の空隙を塞ぎ乗場の出入口を閉塞する。これにより、閉塞板型構造体及び閉塞体による閉塞性の高い防災区画が乗場の引き戸の前に形成されて、閉塞体の火災災害拡大防止性能により昇降路への火炎、煙の侵入を防ぐ。したがって、火炎、煙等の火災災害拡大防止機能を有するエレベーターの乗場装置を少ないスペースに容易に設置でき、エレベーターが設置された建物の火災時に昇降路を経由した火炎、煙等による火災災害の拡大を防止することができる。このように、乗場のスペースの制約を受けることなく火災災害拡大防止機能を有するエレベーターの乗場装置の設置を容易化する効果がある。また通常時において、乗場に閉塞体が露出することがなく美観が損なわれる不具合を解消する効果がある。
【図面の簡単な説明】
【図１】  この発明の実施の形態１を示す図で、エレベーター昇降路の要部横断平面図。
【図２】  図１の正面図。
【図３】  図２の縦断側面図。
【図４】  この発明の実施の形態２を示す図で、図１相当図。
【図５】  この発明の実施の形態３を示す図で、図１相当図。
【図６】  従来のエレベーターの乗場装置を示す図で、エレベーター昇降路の要部横断平面図。
【図７】  図６の正面図。
【図８】  図７の縦断側面図。
【図９】  図６のエレベーターの乗場装置に設けられた出入口の防火区画形成装置の通常時を示す斜視図。
【図１０】  図９の防火区画形成装置における火災時の状況を示す図。
【符号の説明】
１  昇降路、    ２  乗場、    ３  三方枠、    ４  引き戸、    １０  案内レール、    １１  巻き取り機構、    １２  閉塞体、    １６  Ｔ字型構造体、    １７  閉塞板型構造体、    １８  案内溝。